【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
軸上に位置づけられる各区間に係る事項をテーブルとして表示する方法であって、
前記テーブルの、ある区間の部分を表示画面の所定領域内に表示したとき、当該区間または当該区間に係る事項に対して設定されている情報を、付随情報として再生出力することを特徴とするテーブル表示方法。
【請求項２】
請求項１に記載のテーブル表示方法において、
前記付随情報は、記憶装置に記録されている情報中、またはネットワーク上に存在する情報中の、当該区間または当該区間に係る事項に関連づけられる情報であることを特徴とするテーブル表示方法。
【請求項３】
軸上に位置づけられる各区間に係る事項をテーブルとして表示する場合の情報設定方法であって、
情報設定が指示されることによって、前記テーブル中の指示された区間または事項に対して、指示された情報、または選択した情報を、付随情報として設定するとともに、その設定状態を記憶装置に保存することを特徴とする情報設定方法。
【請求項４】
請求項３に記載の情報設定方法において、
前記テーブルの、ある区間の部分を表示画面の所定領域内に表示した状態で、情報設定が指示されることによって、当該区間または当該区間に係る事項に対して、指示された情報、または選択した情報を、付随情報として設定するとともに、その設定状態を記憶装置に保存することを特徴とする情報設定方法。
【請求項５】
軸上に位置づけられる各区間に係る事項をテーブルとして表示するように、情報を処理する装置であって、
操作入力手段と、
記憶装置に記録されているテーブルデータ、またはネットワーク上から取得されたテーブルデータを処理して、前記テーブルの、ある区間の部分を表示画面の所定領域内に表示する処理手段と、
この処理手段によって、前記テーブルの、ある区間の部分を前記所定領域内に表示したとき、当該区間または当該区間に係る事項に対して設定されている情報を、付随情報として再生出力する制御手段と、
を備えることを特徴とする情報処理装置。
【請求項６】
請求項５に記載の情報処理装置において、
前記付随情報は、記憶装置に記録されている情報中、またはネットワーク上に存在する情報中の、当該区間または当該区間に係る事項に関連づけられる情報であることを特徴とする情報処理装置。
【請求項７】
請求項５に記載の情報処理装置において、
前記制御手段は、前記操作入力手段により情報設定が指示されることによって、前記テーブル中の指示された区間または事項に対して、指示された情報、または選択した情報を、付随情報として設定するとともに、その設定状態を記憶装置に保存することを特徴とする情報処理装置。
【請求項８】
請求項７に記載の情報処理装置において、
前記制御手段は、前記処理手段によって、前記テーブルの、ある区間の部分を前記所定領域内に表示した状態で、前記操作入力手段により情報設定が指示されることによって、当該区間または当該区間に係る事項に対して、指示された情報、または選択した情報を、付随情報として設定するとともに、その設定状態を記憶装置に保存することを特徴とする情報処理装置。
【請求項９】
軸上に位置づけられる各区間に係る事項をテーブルとして表示するためにコンピュータを、
前記テーブルの、ある区間の部分を表示画面の所定領域内に表示したとき、当該区間または当該区間に係る事項に対して設定されている情報を、付随情報として再生出力する手段、
として機能させるテーブル表示用プログラム。
【請求項１０】
請求項９に記載のテーブル表示用プログラムにおいて、
前記付随情報は、記憶装置に記録されている情報中、またはネットワーク上に存在する情報中の、当該区間または当該区間に係る事項に関連づけられる情報であるテーブル表示用プログラム。
【請求項１１】
軸上に位置づけられる各区間に係る事項をテーブルとして表示する場合に当該テーブルに対して情報を設定するためにコンピュータに、
情報設定が指示されることによって、前記テーブル中の指示された区間または事項に対して、指示された情報、または選択した情報を、付随情報として設定するステップと、
その設定状態を記憶装置に保存するステップとを、
実行させる情報設定用プログラム。
【請求項１２】
請求項１１に記載の情報設定用プログラムにおいて、
前記設定ステップでは、前記テーブルの、ある区間の部分を表示画面の所定領域内に表示した状態で、情報設定が指示されることによって、当該区間または当該区間に係る事項に対して、指示された情報、または選択した情報を、付随情報として設定する情報設定用プログラム。
【手続補正２】
【補正対象書類名】明細書
【補正対象項目名】００１０
【補正方法】変更
【補正の内容】
【００１０】
この発明のテーブル表示方法は、
軸上に位置づけられる各区間に係る事項をテーブルとして表示する方法であって、
前記テーブルの、ある区間の部分を表示画面の所定領域内に表示したとき、当該区間または当該区間に係る事項に対して設定されている情報を、付随情報として再生出力することを特徴とする。
【手続補正３】
【補正対象書類名】明細書
【補正対象項目名】００１１
【補正方法】変更
【補正の内容】
【００１１】
上記の付随情報は、記憶装置に記録されている情報中、またはネットワーク上に存在する情報中の、当該区間または当該区間に係る事項に関連づけられる情報とすることができる。
【手続補正４】
【補正対象書類名】明細書
【補正対象項目名】００１２
【補正方法】変更
【補正の内容】
【００１２】
この発明の情報設定方法は、
軸上に位置づけられる各区間に係る事項をテーブルとして表示する場合の情報設定方法であって、
情報設定が指示されることによって、前記テーブル中の指示された区間または事項に対して、指示された情報、または選択した情報を、付随情報として設定するとともに、その設定状態を記憶装置に保存することを特徴とする。
【手続補正５】
【補正対象書類名】明細書
【補正対象項目名】００１３
【補正方法】変更
【補正の内容】
【００１３】
上記の情報設定方法では、前記テーブルの、ある区間の部分を表示画面の所定領域内に表示した状態で、情報設定が指示されることによって、当該区間または当該区間に係る事項に対して、指示された情報、または選択した情報を、付随情報として設定するとともに、その設定状態を記憶装置に保存することができる。
【手続補正６】
【補正対象書類名】明細書
【補正対象項目名】００１４
【補正方法】変更
【補正の内容】
【００１４】
上記のテーブル表示方法では、テーブル表示時、表示された区間または事項に対して設定されている情報、または表示された区間または事項に対して装置によって選択された情報が、付随情報として再生出力される。
【手続補正７】
【補正対象書類名】明細書
【補正対象項目名】００１７
【補正方法】変更
【補正の内容】
【００１７】
上記の情報設定方法では、テーブルが表示されているか否かを問わず、ユーザが装置に対して情報設定を指示することによって、ユーザが指示した区間または事項に対して、ユーザが指示した情報、または装置が選択した情報が、付随情報として設定される。
【手続補正８】
【補正対象書類名】明細書
【補正対象項目名】００１８
【補正方法】変更
【補正の内容】
【００１８】
また、上記のようにテーブルが表示された状態で、ユーザが装置に対して情報設定を指示することによって、表示された区間または事項に対して、ユーザが指示した情報、または装置が選択した情報が、付随情報として設定される。
【手続補正９】
【補正対象書類名】明細書
【補正対象項目名】００１９
【補正方法】変更
【補正の内容】
【００１９】
したがって、この発明の情報設定方法では、所望の情報を自由に設定することができ、いったん設定した後も、その設定を容易に解除または変更することができるとともに、設定後は、この発明のテーブル表示方法によって、その設定された情報を再生出力することができる。